(57)【要約】  線状凸部を持つ拡散シート上にプリズムシートが積層されたフィルムにおいて生ずるモアレを防止する積層光学フィルムを提供する。プリズム列が周期的に並列配置された上下プリズムシート及び拡散シートが、接着層を介して積層された積層光学フィルムにおいて、上下プリズムシートは、上プリズムシートの表面上に設けられたプリズム列と、下プリズムシートの表面上に設けられたプリズム列が、互いに直交するように配置され、拡散シートの表面上には、線条凸部が周期的に並列配置され、線条凸部の列方向は、上プリズムシートのプリズム列方向と同一平面上で平行でなく、角度が設けられている。
2017146010.tif 000002
【特許請求の範囲】
【請求項１】
プリズム列が周期的に並列配置された上下プリズムシート及び拡散シートが、接着層を介して積層された積層光学フィルムであって、
上下プリズムシートは、上プリズムシートのプリズム列と下プリズムシートのプリズム列が、互いに直交するように配置され、
拡散シートの表面上には、線条凸部が周期的に並列配置され、
前記線条凸部の列方向は、上プリズムシートのプリズム列方向と同一平面上で平行でなく、角度が設けられたことを特徴とする積層光学フィルム。
【請求項２】
前記線条凸部の列方向は、上プリズムシートのプリズム列方向から角度θ±２°（但し、７°＜θ＜２３°）の範囲であることを特徴とする請求項１に記載の積層光学フィルム。
【請求項３】
前記角度θは、上プリズムシートのプリズム列のピッチをＰ１、拡散シートの線条凸部列のピッチをＰ２とすると、下記式１を満たすことを特徴とする請求項２に記載の積層光学フィルム：
（数１）
ｃｏｓθ ＝ Ｐ２ ／ｎ・Ｐ１     ・・・  （式１）
（式１中、ｎは、０．９２０５ ＜ ｃｏｓθ ＜ ０．９９２５を満たす自然数であり、Ｐ２はＰ１の５〜１０倍を満たす範囲である。）。
【請求項４】
前記角度は、上プリズムシートのプリズム列のピッチ（Ｐ１）が２０〜５０μｍ、拡散シートの線条凸部列のピッチ（Ｐ２）が１００〜４００μｍの場合に、８〜１２°であることを特徴とする請求項１〜３の何れかに記載の積層光学フィルム。
【請求項５】
プリズム列が周期的に並列配置された下プリズムシート及び拡散シートが、接着層を介して積層された積層光学フィルムであって、
拡散シートの表面上には、線条凸部が周期的に並列配置され、
前記線条凸部の列方向は、下プリズムシートのプリズム列方向と同一平面上で平行でなく、下プリズムシートのプリズム列方向から角度θ１±２°（但し、６７°＜θ１＜８３°）が設けられ、
下プリズムシートの上に重ね合わせる上プリズムシートは、上プリズムシートのプリズム列と、下プリズムシートのプリズム列が、互いに直交するように配置され、
前記線条凸部の列方向は、上プリズムシートのプリズム列方向と同一平面上で平行でなく、上プリズムシートのプリズム列方向から角度θ２±２°（但し、７°＜θ２＜２３°）が設けられたことを特徴とする積層光学フィルム。
【請求項６】
前記角度θ２は、上プリズムシートのプリズム列のピッチをＰ１、拡散シートの線条凸部列のピッチをＰ２とすると、下記式２を満たすことを特徴とする請求項５に記載の積層光学フィルム：
（数２）
ｃｏｓθ２ ＝ Ｐ２ ／ｎ・Ｐ１     ・・・  （式２）
（式２中、ｎは、０．９２０５ ＜ ｃｏｓθ ＜ ０．９９２５を満たす自然数であり、Ｐ２はＰ１の５〜１０倍を満たす範囲である。）。
【請求項７】
前記角度θ２は、上プリズムシートのプリズム列のピッチ（Ｐ１）が２０〜５０μｍ、拡散シートの線条凸部列のピッチ（Ｐ２）が１００〜４００μｍの場合に、８〜１２°であることを特徴とする請求項５又は６に記載の積層光学フィルム。
【発明の詳細な説明】
【技術分野】
【０００１】
本発明は、液晶パネル等に用いられる光学フィルムに関するものである。
【背景技術】
【０００２】
近年、スマートフォンの軽量化、薄型化のニーズは高まっており、それに合わせて液晶パネルの軽量化、薄型化のニーズも高まっている。
液晶パネル等に用いられるバックライトユニットは、一般的に、拡散シート、プリズムシート、導光板を物理的に積み重ねる構造である。すなわち、図９に示すように、光源１８からの光を導く導光板１３と反射板１７があり、その上に下拡散シート４があり、更にその上に縦と横のプリズム線条をそれぞれ有する上プリズムシート２と下プリズムシート３と上拡散シート６があり、これらがバックライト部１２を構成する。上下プリズムシート（２，３）の上にはパネル部１１があり、このパネル部１１は液晶セル１６の表面側と裏面側を偏光板１５で挟み込んだ構成になっている。【０００３】
プリズムシートは、その表面に凹凸のプリズム列が設けられているため、パネル部１１に積層された際に、液晶セルとの関係で、モアレが発生する場合がある。また、拡散シート４は、表面上にランダムな凹凸が形成されているが、表面に積層される下プリズムシート３との密着性を図るべく、一定のピッチで線条凸部が設けられている場合には、上プリズムシート２のプリズム線条と拡散シート４の線条凸部との関係でモアレが発生する場合がある。なお、ここで線条凸部とは、拡散シートに設けられた線条に延びる凸部である。
このようなモアレの発生を防止する液晶表示装置として、例えば、特許文献１の装置が知られている。これは、液晶表示パネルの画素配列の方向とプリズムシートのプリズム列の方向を一致させず、角度を付けて設けることによりモアレを解消させるものである。
しかしながら、特許文献１に開示された液晶表示装置は、拡散シートの表面上に線条凸部が設けられている場合については考慮されておらず、かかる場合に、プリズムシートと拡散シートとの関係で発生するモアレについては、発生を防止することが困難である。
【先行技術文献】
【特許文献】
【０００４】
【特許文献１】特開２００８−３２８４１号公報
【発明の概要】
【発明が解決しようとする課題】
【０００５】
上記状況に鑑みて、本発明は、線状凸部を持つ拡散シート上にプリズムシートが積層されたフィルムにおいて発生するモアレを防止する積層光学フィルムを提供することを目的とする。
【課題を解決するための手段】
【０００６】
上記課題を解決すべく、本発明の積層光学フィルムは、プリズム列が周期的に並列配置された上下プリズムシート及び拡散シートが、接着層を介して積層された積層光学フィルムであって、上下プリズムシートは、上プリズムシートの表面上に設けられたプリズム列と、下プリズムシートの表面上に設けられたプリズム列が、互いに直交するように配置され、拡散シートの表面上には、線条凸部が周期的に並列配置され、線条凸部の列方向は、上プリズムシートのプリズム列方向と同一平面上で平行でなく、角度が設けられたことを特徴とする。拡散シートの線条凸部の列方向が、上プリズムシートのプリズム列方向と同一平面上で平行でなく、予め角度を付けて一体化積層することにより、モアレを低減する。なお、線条凸部の横断面は、特に限定されるものではないが、その横断面は、例えば、三角形状、矩形状、多角形状、ドーム状、半円状、又は半楕円状である。【０００７】
本発明の積層光学フィルムにおける線条凸部の列方向は、上プリズムシートのプリズム列方向から角度θ±２°（但し、７°＜θ＜２３°）の範囲であることが好ましい。かかる角度が設けられることで、効果的にモアレの発生を防止することができる。【０００８】
本発明の積層光学フィルムにおいて、上プリズムシートのプリズム列方向に対して、線条凸部の列方向に設けられた角度θは、上プリズムシートのプリズム列のピッチをＰ１、拡散シートの線条凸部列のピッチをＰ２とすると、下記式１を満たすことが好ましい。なお、下記式１中、ｎは０．９２０５ ＜ ｃｏｓθ ＜ ０．９９２５を満たす自然数であり、Ｐ２はＰ１の５〜１０倍を満たす範囲である。【０００９】
（数１）
ｃｏｓθ ＝ Ｐ２ ／ｎ・Ｐ１     ・・・  （式１）【００１０】
また、本発明の積層光学フィルムにおいて、上プリズムシートのプリズム列方向に対して、線条凸部の列方向に設けられた角度θは、上プリズムシートのプリズム列のピッチ（Ｐ１）が２０〜５０μｍ、拡散シートの線条凸部列のピッチ（Ｐ２）が１００〜４００μｍの場合に、８〜１２°である。【００１１】
本発明の積層光学フィルムにおいて、拡散シートの線条凸部列のピッチ（Ｐ２）は、上プリズムシートのプリズム列のピッチ（Ｐ１）よりも十分に大きくする。これは、拡散シートの線条凸部列は、その上に積層される下プリズムシートの裏面の接着層に一部埋め込まれることから、輝度性能の低下を招くからである。上記式１からｎの好ましい範囲が決まる。すなわち、上記式１をＰ１・ｎ・ｃｏｓθ＝Ｐ２と変形すると、Ｐ２の値はＰ１とｎとｃｏｓθの積で決まる。５≦ｎ・ｃｏｓθ≦１０となり、ｎが自然数、ｃｏｓθを最小値０．９２０５とすると、ｎが６以上でないと条件を満たさない。また、ｃｏｓθを最大値０．９９２５とすると、ｎが１０以下で無いと条件を満たさない。従って、好ましいｎの範囲は、６≦ｎ≦１０となる。なお、後述の式２についても式１と同様にｎの好ましい範囲が決まる。【００１２】
本発明の積層光学フィルムにおいて、下プリズムシートのプリズム列は、第１の高さを有する第１プリズム列と、第１の高さより低い第２の高さを有する第２プリズム列とからなることが好ましい。
下プリズムシートのプリズム列は上層の上プリズムシートの裏面の接着層に埋め込まれることから、輝度性能が低下する場合がある。そこで、２種類の高さのプリズム列を設けることで、接着した際に、高さが大きい第１プリズム列だけを接着させて、高さが小さい第２プリズム列を接着させないことが可能となり、輝度性能を高めることができる。また、ウェットアウトと呼ばれる滲みの発生を防止することもできる。【００１３】
本発明の積層光学フィルムは、プリズム列が周期的に並列配置された下プリズムシート及び拡散シートが、接着層を介して積層された積層光学フィルムであって、拡散シートの表面上には、線条凸部が周期的に並列配置され、線条凸部の列方向は、下プリズムシートのプリズム列方向と同一平面上で平行でなく、下プリズムシートのプリズム列方向から角度θ１±２°（但し、６７°＜θ１＜８３°）が設けられ、下プリズムシートの上に重ね合わせる上プリズムシートは、上プリズムシートのプリズム列と、下プリズムシートのプリズム列が、互いに直交するように配置され、線条凸部の列方向は、上プリズムシートのプリズム列方向と同一平面上で平行でなく、上プリズムシートのプリズム列方向から角度θ２±２°（但し、７°＜θ２＜２３°）が設けられたことを特徴とする。
モアレは、上プリズムシートと拡散シートの間で発生するが、上プリズムシートと下プリズムシートはプリズム列が直交するように積層されるので、下プリズムシートのプリズム列と拡散シートの線条凸部が所定の角度を付けて接着させることにより、上プリズムシートが下プリズムシートの上に重ね合わせた際に、モアレ発生を防止することができる。【００１４】
本発明の積層光学フィルムにおいて、重ね合わせる上プリズムシートのプリズム列方向に対して、拡散シートの線条凸部の列方向に設けられた角度θ２は、上プリズムシートのプリズム列のピッチをＰ１、拡散シートの線条凸部列のピッチをＰ２とすると、下記式２を満たすことが好ましい。なお、下記式２中、ｎは、０．９２０５ ＜ ｃｏｓθ２ ＜ ０．９９２５を満たす自然数であり、Ｐ２はＰ１の５〜１０倍を満たす範囲である。前述の如く、下記式２についても上記式１と同様にｎの好ましい範囲が決まる。【００１５】
（数２）
ｃｏｓθ２ ＝ Ｐ２ ／ｎ・Ｐ１     ・・・  （式２）【００１６】
本発明の積層光学フィルムにおいて、上プリズムシートのプリズム列方向に対して、拡散シートの線条凸部の列方向に設けられた角度θ２は、上プリズムシートのプリズム列のピッチ（Ｐ１）が２０〜５０μｍ、拡散シートの線条凸部列のピッチ（Ｐ２）が１００〜４００μｍの場合に、８〜１２°であることが好ましい。
【発明の効果】
【００１７】
本発明の積層光学フィルムによれば、線状凸部を持つ拡散シート上にプリズムシートが積層されたフィルムにおいてモアレ発生を防止できるといった効果を有する。
【図面の簡単な説明】
【００１８】
【図１】実施例１の積層光学フィルムの全体構成図
【図２】実施例１の積層光学フィルムの説明図
【図３】実施例１の積層光学フィルムの断面模式図
【図４】実施例１の下プリズムシートの説明図
【図５】実施例１の積層光学フィルムの積層イメージ図１
【図６】実施例１の下拡散シートの説明図
【図７】実施例１の積層光学フィルムの積層イメージ図２
【図８】実施例２の積層光学フィルムの断面模式図
【図９】一般的な液晶パネルの概略構造図
【図１０】実施例３の積層光学フィルムの積層イメージ図
【図１１】線状凸部が台形状である場合の積層光学フィルムの積層イメージ図
【図１２】線状凸部が楕円状である場合の積層光学フィルムの積層イメージ図
【発明を実施するための最良の形態】
【００１９】
以下、本発明の実施形態について、図面を参照しながら詳細に説明していく。なお、本発明の範囲は、以下の実施例や図示例に限定されるものではなく、幾多の変更及び変形が可能である。
【実施例１】
【００２０】
図１は、実施例１の積層光学フィルムの全体構成図を示している。また、図２は、実施例１の積層光学フィルムの説明図であり、拡散シートの線条凸部の設けられる角度を示している。図１に示すように、積層光学フィルム１は、上プリズムシート２、下プリズムシート３および下拡散シート４から成る。上プリズムシート２には、プリズム列２ａが、Ｙ軸方向へ設けられている。下プリズムシート３には、プリズム列（３ａ，３ｂ）が、Ｘ軸方向へ設けられている。図１及び２に示すように、下拡散シート４には、線条凸部４ａが、Ｙ軸方向から角度θを付けて設けられている。【００２１】
図３は、実施例１の積層光学フィルムの断面模式図を示している。図３に示すように、上プリズムシート２の裏面には接着層５ａが設けられており、下プリズムシート３の表面上に設けられたプリズム列３ａに接着されている。
下拡散シート４の表面上には、線条凸部４ａおよび拡散性能を有する点状凸部４ｂが設けられている。下プリズムシート３の裏面には接着層５ｂが設けられており、線条凸部４ａに接着されている。
上プリズムシート２の表面上に設けられたプリズム列２ａ相互のピッチＰ１は、３８μｍとなっている。また、下拡散シート４の表面上に設けられた線条凸部４ａ相互のピッチＰ２は、３００μｍとなっている。【００２２】
図４は、下プリズムシートの説明図を示している。図４に示すように、下プリズムシート３のプリズム列３ａは、プリズム列３ｂよりも高く形成されている。したがって、図３に示すように、上プリズムシート２の裏面に設けられた接着層５ａと接着される際には、プリズム列３ａのみが接着され、プリズム列３ｂは接着されない構造である。接着層５ａに、プリズム列３ｂが接着されないことにより、輝度向上効果が得られ、また、ウェットアウトと呼ばれる滲みの発生を防止することもできる。
本実施例においては、プリズム列３ａとプリズム列３ｂは交互に並べられているが、必ずしも交互である必要はなく、いずれかが複数連続するように設けられていてもよい。
プリズム列３ａとプリズム列３ｂのピッチＰ３は、３８μｍとなっている【００２３】
図５は、実施例１の積層光学フィルムの積層イメージ図を示している。図５に示すように、積層光学フィルム１は、下拡散シート４の上に、下プリズムシート３、上プリズムシート２が順に積層される構造である。また、上プリズムシート２の表面上には、プリズム列２ａが、シートの長手方向に平行に設けられ、下プリズムシート３の表面上には、プリズム列（３ａ，３ｂ）が、シートの長手方向に垂直に設けられ、下拡散シート４の表面上には、線条凸部４ａが、シートの長手方向に対して斜め方向に角度を付けて設けられている。【００２４】
図６は、実施例１の下拡散シートの説明図を示している。図６に示すように、線条凸部４ａは、Ｙ軸方向に対して所定の角度θを付けて設けられている。
角度θは、一定の範囲内で設けられた場合にのみ、モアレ解消の効果が得られることを確認するため検証を行った。下記表１は、プリズムシートのプリズム列２ａ相互のピッチＰ１が３８μｍ、プリズム列３ａおよびプリズム列３ｂのピッチＰ３が３８μｍ、拡散シートの線条凸部４ａ相互のピッチＰ２が３００μｍ、角度θが０°であるときを検証した結果を示したものである。検証方法としては、下拡散シート４の上に、下プリズムシート３および上プリズムシート２が順に積層され、下プリズムシート３と上プリズムシート２を固定した状態で、下拡散シート４の配置初期角度０°から始め、角度９０°まで変更し（すなわち角度θを変更することに相当）検証を行った。また、モアレ発生の有無は目視にて確認を行った。【００２５】
【表１】
2017146010.tif 000003
【００２６】
上記表１に示すように、角度θが０°〜７°の範囲において、モアレ発生が確認されている。これに対して、角度θが８°〜８２°の範囲においてはモアレが発生していない。そして、角度θが８３°〜９０°の範囲においては、再びモアレが確認されている。これは、角度θが９０°付近になると下プリズムシートのプリズム列の影響でモアレが発生するからである。
このことから、角度θを８°〜８２°の範囲内に設けることがモアレ防止のために有効であることが分かった。但し、液晶パネルと組み合わせた際に、液晶パネルの画素の影響によるモアレが発生することから、実際のところ、角度θが８°〜８２°の範囲内であればよいというものではなく、さらに限定された範囲になる。この限定された範囲が、角度θ±２°（但し、７°＜θ＜２３°）の範囲である。【００２７】
図６に示すように、拡散シートの線条凸部列のピッチをＰ２、上プリズムシートのプリズム列方向と線条凸部列方向との角度がθとすると、上プリズムシートのプリズム列のピッチ方向である実質的なピッチ（Ｐ２´）は、Ｐ２／ｃｏｓθになる。そして、上プリズムシートのプリズム列のピッチ（Ｐ１）と、拡散シートの線条凸部列の実質ピッチ（Ｐ２´＝Ｐ２／ｃｏｓθ）が整数倍の関係になるとモアレが生じ難くなる。
すなわち、Ｐ１×ｎ＝Ｐ２／ｃｏｓθ（ｎは自然数）の関係が成立する。
これから、ｃｏｓθ＝Ｐ２／ｎ・Ｐ１  の式が得られる。また、θが７°＜θ＜２３°の範囲であるとすると、余弦（ｃｏｓθ）の三角関数表（下記表２を参照）から、ｃｏｓθは０．９２０５〜０．９９２５の範囲の値をとる。【００２８】
例えば、上プリズムシートのプリズム列のピッチ（Ｐ１）が３５μｍ、拡散シートの線条凸部列のピッチ（Ｐ２）が３００μｍとすると、ｃｏｓθ＝Ｐ２／ｎ・Ｐ１から、ｃｏｓθが０．９２０５〜０．９９２５の範囲内では、ｎが９の場合が条件を満足することになる。
・ｎ＝８の場合  ：  ｃｏｓθ  ＝  １．０７１
・ｎ＝９の場合  ：  ｃｏｓθ  ＝  ０．９５２
・ｎ＝１０の場合：  ｃｏｓθ  ＝  ０．８５７
ｎが９の場合、ｃｏｓθの値は０．９５２であり、θは三角関数表から１８°と算出できる。従って、上プリズムシートのプリズム列のピッチ（Ｐ１）が３５μｍ、拡散シートの線条凸部列のピッチ（Ｐ２）が３００μｍの場合、拡散シートの線条凸部の列方向と、上プリズムシートのプリズム列方向との角度を１６〜２０°（θ±２°）の範囲にすることにより、モアレ発生を低減できることになる。【００２９】
また一方、例えば、上プリズムシートのプリズム列のピッチ（Ｐ１）が３８μｍ、拡散シートの線条凸部列のピッチ（Ｐ２）が３００μｍとすると、ｃｏｓθ＝Ｐ２／ｎ・Ｐ１から、ｃｏｓθが０．９２０５〜０．９９２５の範囲内では、ｎが８の場合が条件を満足することになる。
・ｎ＝７の場合  ：  ｃｏｓθ  ＝  １．１２７
・ｎ＝８の場合  ：  ｃｏｓθ  ＝  ０．９８６
・ｎ＝９の場合  ：  ｃｏｓθ  ＝  ０．８７７
ｎが８の場合、ｃｏｓθの値は０．９８６であり、θは三角関数表から１０°と算出できる。従って、上プリズムシートのプリズム列のピッチ（Ｐ１）が３８μｍ、拡散シートの線条凸部列のピッチ（Ｐ２）が３００μｍの場合、拡散シートの線条凸部の列方向と、上プリズムシートのプリズム列方向との角度を８〜１２°（θ±２°）の範囲にすることにより、モアレ発生を低減できることになる。
なお、モアレ発生の有無を目視にて確認を行った結果（表１）では、８〜１２°であり、上記の結果と一致している。【００３０】
また一方、例えば、上プリズムシートのプリズム列のピッチ（Ｐ１）が２２μｍ、拡散シートの線条凸部列のピッチ（Ｐ２）が１９０μｍとすると、ｃｏｓθ＝Ｐ２／ｎ・Ｐ１から、ｃｏｓθが０．９２０５〜０．９９２５の範囲内では、ｎが９の場合が条件を満足することになる。
・ｎ＝８の場合    ：  ｃｏｓθ  ＝  １．０７９
・ｎ＝９の場合    ：  ｃｏｓθ  ＝  ０．９５９
・ｎ＝１０の場合  ：  ｃｏｓθ  ＝  ０．８６３
ｎが９の場合、ｃｏｓθの値は０．９５９であり、θは三角関数表から１６°と算出できる。従って、上プリズムシートのプリズム列のピッチ（Ｐ１）が２２μｍ、拡散シートの線条凸部列のピッチ（Ｐ２）が１９０μｍの場合、拡散シートの線条凸部の列方向と、上プリズムシートのプリズム列方向との角度を１４〜１８°（θ±２°）の範囲にすることにより、モアレ発生を低減できることになる。【００３１】
【表２】
2017146010.tif 000004
【００３２】
図５は、実施例１の積層光学フィルムの積層イメージ図を示している。積層光学フィルム１は、下拡散シート４の上に、下プリズムシート３、上プリズムシート２が順に積層される構造であり、図７では積層された積層光学フィルム１を平面視した状態を示している。図６に示す角度で線条凸部４ａが設けられているため、モアレが発生しない構造となっている。
【実施例２】
【００３３】
図８は、実施例２の積層光学フィルムの断面模式図を示している。図８に示すように、積層光学フィルム１０の場合、実施例１と同様、下拡散シート４の上に下プリズムシート３が積層されている一方で、実施例１とは異なり、下プリズムシート３の上に上プリズムシート２が一体積層化されていないが、実装する際は、上プリズムシート２を下プリズムシート３の上に接着層を介さずに重ね合せる。重ね合わせる際は、上プリズムシートのプリズム列と下プリズムシート（３ａ，３ｂ）のプリズム列は、平面視上直交するようにする。
実施例２の積層光学フィルムを用いることにより、実装の際に、上プリズムシートを積層した場合でも、モアレ発生を防止でき、モアレ低減の効果を発揮する。
【実施例３】
【００３４】
図１０は、実施例３の積層光学フィルムの積層イメージ図を示している。図６に示すように、線条凸部４ａは、Ｙ軸方向に対して所定の角度θを付けて設けられている。
角度θは、一定の範囲内で設けられた場合にのみ、モアレ解消の効果が得られることを確認するため検証を行った。下記表３は、プリズムシートのプリズム列２ａ相互のピッチＰ１が３８μｍ、プリズム列３ａおよびプリズム列３ｂのピッチＰ３が３８μｍ、拡散シートの線条凸部４ａ相互のピッチＰ２が３００μｍ、角度θが０°であるときを検証した結果を示したものである。検証方法としては、下拡散シート４の上に、下プリズムシート３および上プリズムシート２が順に積層され、下プリズムシート３と上プリズムシート２を固定した状態で、下拡散シート４の配置初期角度０°から始め、角度９０°まで変更し（すなわち角度θを変更することに相当）検証を行った。また、モアレ発生の有無は目視にて確認を行った。下記表３に示す通り、角度θが８〜８２°の範囲であればモアレが生じ難く、線状凸部の形状が半円形状であっても実施例１と同様の結果を得た。【００３５】
【表３】
2017146010.tif 000005
【実施例４】
【００３６】
図１１、図１２は積層光学フィルムの積層イメージ図を示しており、図１１は線状凸部の横断面が台形状である場合、図１２は線状凸部の横断面が楕円状である場合を示している。
図１１、図１２のいずれも下記に示す条件で検証を行った。上プリズム列のピッチ（Ｐ１）が２４μｍの時、拡散シートの線条凸部列のピッチ（Ｐ２）が１００〜４００μｍ、かつ、ｎが６〜１０を満たす拡散シートの線条凸部の設計とする。
コスト面を重視する設計をとることにすると線状凸部のパターン数が少ないほどコストが下がることから、ここではｎが１０である場合を考える。
８≦ｃｏｓθ≦１２、ｃｏｓθ ＝ Ｐ２ ／ｎ・Ｐ１を満たすＰ２は、下記表４になる。表４から拡散シートの線条凸部列のピッチ（Ｐ２）は、最大値で２３８μｍ、最小値で２３５μｍである。
Ｐ２が２３８μｍ、角度θが８°であるとき、実施例３と同様の検証を行った。但し、下拡散シート４の配置初期角度−８°から始め８２°まで変更している点が異なる（すなわち角度θを０°〜９０°範囲で変更することに相当）。
モアレ発生の有無の結果を下記表５に示す。【００３７】
【表４】
2017146010.tif 000006
【００３８】
【表５】
2017146010.tif 000007
【産業上の利用可能性】
【００３９】
本発明は、液晶パネル等に用いられる光学フィルムに有用である。
【符号の説明】
【００４０】
１，１０  積層光学フィルム
２  上プリズムシート
２ａ，３ａ，３ｂ  プリズム列
３  下プリズムシート
４  下拡散シート
４ａ  線条凸部
４ｂ  点状凸部
５ａ，５ｂ  接着層
１１  パネル部
１２  バックライト部
１３  導光板
１４  反射防止フィルム
１５  偏光板
１６  液晶セル
１７  反射板
１８  光源
Ｐ  ピッチ
Ｘ，Ｙ，Ｚ  軸
θ  角度
【図１】
2017146010.tif 000008
【図２】
2017146010.tif 000009
【図３】
2017146010.tif 000010
【図４】
2017146010.tif 000011
【図５】
2017146010.tif 000012
【図６】
2017146010.tif 000013
【図７】
2017146010.tif 000014
【図８】
2017146010.tif 000015
【図９】
2017146010.tif 000016
【図１０】
2017146010.tif 000017
【図１１】
2017146010.tif 000018
【図１２】
2017146010.tif 000019
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
プリズム列が周期的に並列配置された上下プリズムシート及び拡散シートが、接着層を介して積層された積層光学フィルムであって、
上下プリズムシートは、上プリズムシートのプリズム列と下プリズムシートのプリズム列が、互いに直交するように配置され、
拡散シートの表面上には、線条凸部が周期的に並列配置され、
前記線条凸部の列方向は、上プリズムシートのプリズム列方向と同一平面上で平行でなく、上プリズムシートのプリズム列方向から角度θ±２°（但し、７°＜θ＜２３°）の範囲の角度が設けられたことを特徴とする積層光学フィルム。
【請求項２】
（削除）
【請求項３】
前記角度θは、上プリズムシートのプリズム列のピッチをＰ１、拡散シートの線条凸部列のピッチをＰ２とすると、下記式１を満たすことを特徴とする請求項１に記載の積層光学フィルム：
【数１】
2017146010.tif 000020
（式１中、ｎは、０．９２０５＜ｃｏｓθ＜０．９９２５を満たす自然数であり、Ｐ２はＰ１の５〜１０倍を満たす範囲である。）。
【請求項４】
前記角度は、上プリズムシートのプリズム列のピッチ（Ｐ１）が２０〜５０μｍ、拡散シートの線条凸部列のピッチ（Ｐ２）が１００〜４００μｍの場合に、８〜１２°であることを特徴とする請求項１又は３に記載の積層光学フィルム。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
プリズム列が周期的に並列配置された上下プリズムシート及び拡散シートが、接着層を介して積層された積層光学フィルムであって、
上下プリズムシートは、上プリズムシートのプリズム列と下プリズムシートのプリズム列が、互いに直交するように配置され、
拡散シートの表面上には、線条凸部が周期的に並列配置され、
前記拡散シートの線条凸部の列方向は、上プリズムシートのプリズム列方向と同一平面上で平行でなく、上プリズムシートのプリズム列方向から角度θ±２°（但し、７°＜θ＜２３°）の範囲の角度が設けられ、線状凸部を持つ拡散シート上にプリズムシートが積層されたフィルムにおいてモアレ発生を防止し得ることを特徴とする積層光学フィルム。
【請求項２】
前記角度θは、上プリズムシートのプリズム列のピッチをＰ１、拡散シートの線条凸部列のピッチをＰ２とすると、下記式１を満たすことを特徴とする請求項１に記載の積層光学フィルム：
（数１）
ｃｏｓθ ＝ Ｐ２ ／ｎ・Ｐ１     ・・・  （式１）
（式１中、ｎは、０．９２０５ ＜ ｃｏｓθ ＜ ０．９９２５を満たす自然数であり、Ｐ２はＰ１の５〜１０倍を満たす範囲である。）。
【請求項３】
前記角度は、上プリズムシートのプリズム列のピッチ（Ｐ１）が２０〜５０μｍ、拡散シートの線条凸部列のピッチ（Ｐ２）が１００〜４００μｍの場合に、８〜１２°であることを特徴とする請求項１又は２に記載の積層光学フィルム。
【請求項４】
プリズム列が周期的に並列配置された下プリズムシート及び拡散シートが、接着層を介して積層された積層光学フィルムであって、
拡散シートの表面上には、線条凸部が周期的に並列配置され、
前記線条凸部の列方向は、下プリズムシートのプリズム列方向と同一平面上で平行でなく、下プリズムシートのプリズム列方向から角度θ１±２°（但し、６７°＜θ１＜８３°）が設けられ、
下プリズムシートの上に重ね合わせる上プリズムシートは、上プリズムシートのプリズム列と、下プリズムシートのプリズム列が、互いに直交するように配置され、
前記線条凸部の列方向は、上プリズムシートのプリズム列方向と同一平面上で平行でなく、上プリズムシートのプリズム列方向から角度θ２±２°（但し、７°＜θ２＜２３°）が設けられ、上プリズムシートを下プリズムシートの上に重ね合わせた際にモアレ発生を防止し得ることを特徴とする積層光学フィルム。
【請求項５】
前記角度θ２は、上プリズムシートのプリズム列のピッチをＰ１、拡散シートの線条凸部列のピッチをＰ２とすると、下記式２を満たすことを特徴とする請求項４に記載の積層光学フィルム：
（数２）
ｃｏｓθ２ ＝ Ｐ２ ／ｎ・Ｐ１     ・・・  （式２）
（式２中、ｎは、０．９２０５ ＜ ｃｏｓθ ＜ ０．９９２５を満たす自然数であり、Ｐ２はＰ１の５〜１０倍を満たす範囲である。）。
【請求項６】
前記角度θ２は、上プリズムシートのプリズム列のピッチ（Ｐ１）が２０〜５０μｍ、拡散シートの線条凸部列のピッチ（Ｐ２）が１００〜４００μｍの場合に、８〜１２°であることを特徴とする請求項４又は５に記載の積層光学フィルム。
【国際調査報告】
2017146010.tif 000021
2017146010.tif 000022